(57)【要約】【課題】部品点数が少なくワンタッチで着脱できる作業アタッチメントのクイックカプラを提供する。【解決手段】牽引バーの端部ブラケットに案内口を介して外部に解放したＵ字形係着部を形成する。Ｕ字形係着部上方のブラケットプレートに、上部横プレートと下部縦プレートからなるＴ字形操作盤を回動支点Ｐで回動可能に枢支する。横プレートの回動支点Ｐの内側上方に取付けた可動係合ピンと、Ｕ字形係着部の内側プレートに設けた固定係合ピン間にＴ字形操作盤付勢用のコイルばねを架設する。Ｔ字形操作盤の縦プレートと横プレートを案内口に択一的に付勢する位置に係止する係止手段を設ける。【選択図】図１
2006025638.tif 000002
【特許請求の範囲】
【請求項１】
トラクタ後部に結合する牽引バーの端部に、内方に向けて下降傾斜させた案内口を介して略Ｕ字形係着部を形成したブラケットと、前記ブラケットのＵ字形係着部上方のプレートに回動可能に軸着され、軸着支点を中心に回動させたときに下部縦プレートと上部横プレートが前記案内口を択一的に開閉するように配設された略Ｔ字形操作盤と、操作盤の回動支点よりも内側上方位置に形成した可動係合ピンとＵ字形係着部の内側プレートに形成した固定係合ピンの間に架設され、可動係合ピンが回動支点の内側へ回動しているときＴ字形操作盤の縦プレートを前記案内口へ付勢させ、可動係合ピンが回動支点の外側へ回動しているときにＴ字形操作盤の横プレートを案内口へ付勢させるコイルばねと、前記Ｔ字形操作盤の縦プレートと横プレートを案内口に択一的に係止させる係止手段と、を備えたことを特徴とするトラクタに牽引される農作業アタッチメントのクイックカプラ
【請求項２】
Ｔ字形操作盤の前記係止手段が、回動支点上方のブラケットのプレートに固定され、Ｔ字形操作盤の回動により横プレート上面が当接するストッパーであることを特徴とする請求項１記載のトラクタに牽引される農作業アタッチメントのクイックカプラ
【発明の詳細な説明】
【技術分野】
【０００１】
本発明はトラクタ等の牽引バーに各種農作業アタッチメントを着脱自在に連結するためのクイックカプラに関する。
【背景技術】
【０００２】
広い圃場の農作業はトラクタ等の牽引車に作業用アタッチメントを着脱自在に連結して行なわれるが、多様のアタッチメントを迅速、且つ着脱自在に連結するために、図９、図１０に示すように、トラクタ１の後部に結合された一対の牽引バー２の後部にカプラー３が使用される。
【０００３】
図１１は前記トラクタ１の後部フレームに結合される牽引バー２の後端ブラケット４に、作業機のロアリンク（図は省略）を着脱可能に係着するカプラー３を設けた従来例を示すもので、この種のカプラー３は作業アタッチメントの横バーの両側を係着して安定した状態で牽引するため、図１０に示すように、通常はトラクタ後方に向けて左右対称に配設される。
【０００４】
上記従来例のカプラー３は、図１２に拡大して概略的に示すように、牽引バー２の後部に結合したブラケット４の先端付近に作業アタッチメントの横バー５を装脱自在に受入れるＵ字形係着部６が形成されている。
このブラケット４はトラクタの牽引方向（矢印）から見てＵ字形係着部６の前方に、破線で示すケーシング７を有するとともに、ケーシング７の側面にリンク８の基端側支点９ａを揺動可能に軸着してある。
【０００５】
また、リンク８の先端側には頭部１０をケーシング７の上部開口スリット１１の上方に突出させた操作片１２が支点９ｂを中心に回動可能に連結されているとともに、リンク８の支点９ａ、９ｂの間に、ケーシング７の側部開口１５から前記Ｕ字形係着部６の上方に出没する開閉レバー１６の基端側がピン１４で軸着されている。
【０００６】
リンク８はケーシング７の下方側部に係止したスプリング１３によりＵ字形係着部６側に付勢されており、従って、通常は下向きに傾斜させた開閉レバー１６の先端がＵ字形係着部６に出張り、操作片１２の頭部１０がケーシング７の上部開口スリット１１縁に係止されている。
【発明の開示】
【発明が解決しようとする課題】
【０００７】
上記の従来例は、アタッチメントの横バー５を係着するときは開閉レバー１６の上方から押入れるだけでカプラー３のＵ字形係着部６に係着されるが、横バー５をカプラー３から外すときは、操作片１２の頭部１０をつまんで上方へ引き上げた後、上部開口スリット１１に沿って移動させなければならず、さらに開閉レバー１６を開放位置に保持するには上部開口スリット１１に沿って移動させた操作片１２を下方へ倒して頭部１０をスリット１１の縦縁に係止させなければならない。このような操作はクイックカプラとしては煩雑で手間のかかる作業である。
【０００８】
また、従来の上記カプラは部品点数が多くなるところから構造が複雑で組立に手間がかかるとともに、可動部や摩擦部が多くなるため故障し易く、耐久性に弱いという問題もあった。
【０００９】
従って、本発明の目的は、部品点数が少なく組付けが簡単で故障がなく、しかもワンタッチで着脱が可能な農作業アタッチメントのクイックカプラを提供することにある。
【課題を解決するための手段】
【００１０】
上記の目的を達成するために、本発明のクイックカプラは、トラクタ後部に結合する牽引バーの端部に、内方に向けて下降傾斜させた案内口を介して略Ｕ字形係着部を形成したブラケットと、前記ブラケットのＵ字形係着部上方のプレートに回動可能に軸着され、軸着支点を中心に回動させたときに下部縦プレートと上部横プレートが前記案内口を択一的に開閉するように配設された略Ｔ字形操作盤と、操作盤の回動支点よりも内側上方位置に形成した可動係合ピンとＵ字形係着部の内側プレートに形成した固定係合ピンの間に架設され、可動係合ピンが回動支点の内側へ回動しているときＴ字形操作盤の縦プレートを前記案内口へ付勢させ、可動係合ピンが回動支点の外側へ回動しているときにＴ字形操作盤の横プレートを案内口へ付勢させるコイルばねと、前記Ｔ字形操作盤の縦プレートと横プレートを案内口に択一的に係止させる係止手段と、を備えたことを特徴とする。
【００１１】
Ｔ字形操作盤の前記係止手段は、好ましくは、操作盤回動支点上方のブラケットのプレートに固定され、Ｔ字形操作盤の回動により横プレート上面が当接するストッパーで構成する。
【発明の効果】
【００１２】
上記構成により、装着の際はアタッチメントの横バーを案内口に押当てるだけでカプラーのＵ字形係着部に係合され、Ｔ字形操作盤の縦プレートでロックされる。
アタッチメントを外すときはＴ字形操作盤の縦プレートが案内口から外れる方向にコイルばねに抗して回動させるとロックが解除され、横バーが排出可能になるとともに、排出の過程で横バーが操作盤の横プレートを押し上げて逆方向へ回動させることにより操作盤は元の位置に自動復帰する。
従って、本発明のカプラーはワンタッチでアタッチメントを着脱することができるとともに、少ない部品で頑丈に組付けられているので丈夫で操作が簡単である。
【発明を実施するための最良の形態】
【００１３】
以下、本発明の実施例を添付の図面に基づいて説明する。
本発明の農作業アタッチメントのクイックカプラ１７は、図１及び図２に示すように、トラクタ後部に結合する牽引バー１８の後端部にブラケット１９を一体に有している。
このブラケット１９は、後端から内方（牽引方向）に向けて下降傾斜させた案内口２０を有し、この案内口２０に連通する略Ｕ字形係着部（フック）２１を形成してある。
【００１４】
他方、前記ブラケット１９のＵ字形係着部２１の上方プレート２２に、横プレート２３ａと縦プレート２３ｂを一体に有するＴ字形操作盤２３が上部中央を回動支点Ｐとして回動可能に枢支され、回動によりＴ字形操作盤２３の縦プレート２３ｂの下端が前記Ｕ字形係着部２１の案内口２０に達するように設定されている。
図の実施例は、図２に示すように、Ｔ字形操作盤２３の裏面に一体に形成した支軸２４を、ブラケット１９のプレート２２に形成した支持孔２５に挿入しているが、軸着手段は他のいかなる方法でもよい。
【００１５】
Ｔ字形操作盤２３には、回動支点Ｐよりも内側上方位置に可動係合ピン２６が固設されているとともに、ブラケット１９のＵ字形係着部２１の内側プレートに固定係合ピン２７が突設されており、この固定係合ピン２７と前記可動係合ピン２６の間にコイルばね２８が架設されている。このため、可動係合ピン２６が回動支点Ｐの内側に回動しているときは、Ｔ字形操作盤２３の縦プレート２３ｂがコイルばね２８により外側へ付勢されて、Ｕ字形係着部２１の案内口２０を閉鎖し、可動係合ピン２６が回動支点Ｐの上方を回動する過程でＴ字形操作盤２３の縦プレート２３ｂが内側へ回動して案内口２０を開き、さらに、可動係合ピン２６が回動支点Ｐを越えるとコイルばね２８がＴ字形操作盤２３の横プレート２３ａを案内口２０に付勢させて閉鎖するようになっている。
【００１６】
ブラケット１９にはコイルばね２８の付勢に対しＴ字形操作盤２３の縦プレート２３ｂと横プレート２３ａを案内口２０に択一的に係止させるための手段が設けられている。
図の実施例では、Ｔ字形操作盤２３の縦プレート２３ｂが案内口２０へ付勢されたときに横プレート２３ａの上辺外側が係止し、横プレート２３ａが案内口２０へ付勢されたときに横プレート２３ａの上辺内側が係止して位置規制するストッパー２９をブラケット１９のプレート上部に突設して上記係止手段を構成している。
【００１７】
Ｔ字形操作盤の係止手段は上記の構成に限定されるものではなく、例えば上記ストッパー２９に代えて縦プレート２３ｂ、横プレート２３ａの先端縁を案内口２０の外側突起３０に内側又は外側から係止させて位置規制してもよい。
【００１８】
本発明の上記実施例は特に除草装置のロアリンクを着脱係合するカプラーに適しており、ロアリンクの横バー５をカプラー１７に係着するときは、図３のように横バー５を案内口２０にあるＴ字形操作盤２３の縦プレート２３ｂに圧接するだけで、図４のように、縦プレート２３ｂがコイルばね２８に抗して回動し、案内口２０を開くことにより横バー５がＵ字形係着部２１に係合する。すると、縦プレート２３ｂがコイルばね２８に付勢されて案内口２０を閉じ、横バー５がＵ字形係着部２１にロックされる。
【００１９】
他方、横バー５をＵ字形係着部２１から外すときは、図６のように、Ｔ字形操作盤２３をコイルばね２８に抗して反時計回りに回動させると、Ｔ字形操作盤２３の縦プレート２３ｂが案内口２０から外れる。この時点ではＴ字形操作盤２３の横プレート２３ａが案内口２０に保持されているが、横バー５をコイルばね２８に抗して横プレート２３ａの下側から圧接すると横プレート２３ａは図７のように時計回りに回動して横バー５が排出されるとともに、横バー５との圧接によりＴ字形操作盤２３の可動係合ピン２６が回動支点Ｐを越えることによって、図８のように縦プレート２３ｂが元の案内口２０に自動的に復帰する。
【産業上の利用可能性】
【００２０】
以上のように、本発明のクイックカプラは部品点数を少なくして構造を簡潔に合理化し、各種農作業アタッチメントをワンタッチで着脱できるようにしたので作業能率を向上させ、耐久性のある成品を提供することができる。
【図面の簡単な説明】
【００２１】
【図１】本発明による一対のクイックカプラ斜視図
【図２】図１の要部拡大分解図
【図３】図１の装着説明図
【図４】図１の装着説明図
【図５】図１の装着説明図
【図６】図１の解放説明図
【図７】図１の解放説明図
【図８】図１の解放説明図
【図９】トラクタ側面図
【図１０】トラクタ底面図
【図１１】従来例によるカプラーの斜視図
【図１２】図１１のカプラーの要部拡大図
【符号の説明】
【００２２】
１…トラクタ
２…牽引バー
３…カプラー
４…ブラケット
５…横バー
６…Ｕ字形係着部
７…ケーシング
８…リンク
９ａ、９ｂ…支点
１０…頭部
１１…上部開口スリット
１２…操作片
１３…スプリング
１４…ピン
１５…側部開口
１６…開閉レバー
１７…カプラー
１８…牽引バー
１９…ブラケット
２０…案内口
２１…Ｕ字形係着部
２２…プレート
２３…Ｔ字形操作盤
２３ａ…横プレート
２３ｂ…縦プレート
２４…支軸
２５…支持孔
２６…可動係合ピン
２７…固定係合ピン
２８…コイルばね
２９…ストッパー
３０…突起
Ｐ…回動支点
【図１】
2006025638.tif 000003
【図２】
2006025638.tif 000004
【図３】
2006025638.tif 000005
【図４】
2006025638.tif 000006
【図５】
2006025638.tif 000007
【図６】
2006025638.tif 000008
【図７】
2006025638.tif 000009
【図８】
2006025638.tif 000010
【図９】
2006025638.tif 000011
【図１０】
2006025638.tif 000012
【図１１】
2006025638.tif 000013
【図１２】
2006025638.tif 000014